(57)【要約】【課題】  金型を必要とせず、シート材の切り抜き加工および折り線加工（罫線加工）のみでカートン内の個装を弾性的に固定することができる保持部材を安価に作成可能であり、個装の回転防止やカ−トンの安定性を向上することが可能となる保持部材を提供する。【解決手段】  保持部材はシートから構成され、該シートの少なくとも１箇所に切り込み部を設け、該シートの少なくとも一部を折り込み、前記切り込み部に挟むことにより弾性を付与し、物品とカートンの一部に接触させカートン内の物品を固定する保持部材。【選択図】図１
2014213866.tif 000002
【特許請求の範囲】
【請求項１】
物品用の収容カートン内で物品を固定・安定化させるために該カートン内面と物品との間に介装する保持部材において、
保持部材はシートから構成され、
該シートの少なくとも１箇所に切り込み部を設け、該シートの少なくとも一部を折り込み、前記切り込み部に挟むことにより弾性を付与し、物品とカートンの一部に接触させカートン内の物品を固定することを特徴とした保持部材。
【請求項２】
前記保持部材のシートには、物品を載置する載置パネルを有すると共に、該載置パネルから第１の折罫を介して延び立設する保持パネルを少なくとも１つ有し、
前記保持パネルには切り込み部を設け、
前記保持パネルの切り込み部よりも延長した箇所に第２の折罫を設けた差し込みパネルを有し、
前記差し込みパネルを第２の折罫で折返したときに、先端が前記切り込み部に差し込まれることで前記差し込みパネルが湾曲して保持され、
前記湾曲した部分の弾性力で物品を弾性的に保持可能にしたことを特徴とした請求項１に記載の保持部材。
【請求項３】
保持パネルは物品を対向する方向から挟んで保持できるように、載置パネルから対向する方向に少なくとも２つ延設されていることを特徴とする請求項１又は２に記載の保持部材。
【請求項４】
少なくとも１枚のシートから構成されることを特徴とする請求項１から３のうちの１項に記載の保持部材。
【発明の詳細な説明】
【技術分野】
【０００１】
本発明は、製品等の物品を包装する収容カートン内に製品保持用に介装する保持部材に関する。
【背景技術】
【０００２】
従来、カートンに装填された個装（単体の製品を包装する）において、カ−トンと個装の形状や寸法が異なる際、輸送時や店頭陳列時にカ−トン内の個装が回転したり傾いたりした場合に、カ−トン自体の安定性が低下するという不具合が生じていた。
【０００３】
これらの課題を解決する手段として（１）成形トレイの装填（例えば特開２００６−１６０３３１号（特許文献１）参照）、（２）カ−トン内に仕切り板を設置、（３）カ−トンフラップ部の延長折り込み等で、個装の固定を行っている。また、（４）カ−トンの底部に足を設け、安定化を図るものも存在する。
【０００４】
上記（１）に関しては、カ−トンおよび個装形状に合わせて成形トレイの設計や成形用金型が必要となることから単価が高くなる課題がある。
【０００５】
また、上記（２）に関しては、カ−トン自体の生産工程が複雑化し、カ−トン生産設備の制約やカ−トンの単価が高くなる課題がある。
【０００６】
上記（３）に関しては、個装をカ−トンに装填した後、サイドフラップを折り込み、切り込み部に個装の位置を合わせながら封緘する必要があり、包装作業が複雑化する課題がある。
【０００７】
上記（４）に関しては、個装重量のある製品の場合にカ−トン足部が破損し、安定性が逆に低下するという課題があった。
【０００８】
なお、カートンに関する先行文献として、前記（３）に関連し、特開２０１１−１１７４９号（特許文献２）では保持部材の天面に穴を配置し、穴の周囲に切り込みを付けて個装を保持する構造が開示されている。保持部材作成時の抜きカスが発生し、ヒンジキャップなどの個装を装填する場合に取り出し時にキャップ蓋部が開く可能性がある。
【０００９】
また、特開２０１０−２０２２２３号（特許文献３）では、カートンのサイドフラップを延長して封函時に内側へループ状に折り込み、個装に接触することで個装を固定するものが開示されている。しかし、ループ状のサイドフラップの先端部はカートン内で固定されているため装填性が複雑でありまた各ループの形状も制御が難しいため、意図する弾力性が出せず、かつばらつきが生じる可能性も高い。
【００１０】
前記（１）の成形トレイではなく、折り込みトレイに関して、特開２０１０−２７４９４８号（特許文献４）では、１枚の部材を折り込み、トレイを形成したものが開示されている。しかし、このトレイは弾性を有していないため１枚のシートから形成されるトレイにすぎない。
【００１１】
また、特開２０１０−１００３１６号（特許文献５）では、折り込んでトレイを形成すると共に四隅の折り込みにより形成される凸部面で個装を固定するものが開示されている。しかし、この構成において、トレイ底面付近では、弾性による個装の固定が困難であり、また、トレイの組立が複雑である。さらには、弾性の調整を折り込み線の角度で調整するため個装への接触面積が変化し、意図する個装安定性が確保できない可能性が高い。
【００１２】
また、実開平６−２０２１８号（特許文献６）では、１枚の部材に折り線や切り込みを入れ、トレイを形成して個装を固定するものが開示されている。しかし、この構成において、折り線の折り込みのみで弾性付与しているため、折り込み時の強さによって弾性にばらつきが生じる可能性が高く、意図する弾性が付与できない可能性が高い。
また、特開２００７−１５３３７０号（特許文献７）では、１枚の部材から個装の保持部（リング状）とずれ止め板を構成し、ケース内での個装の回転を防止するものが開示されている。しかし、この構成において、ケースと個装との隙間がある場合、個装の位置に偏りが生じ、個装の安定化（傾き）が図れない可能性が高い。
【先行技術文献】
【特許文献】
【００１３】
【特許文献１】特開２００６−１６０３３１号
【特許文献２】特開２０１１−１１７４９号
【特許文献３】特開２０１０−２０２２２３号
【特許文献４】特開２０１０−２７４９４８号
【特許文献５】特開２０１０−１００３１６号
【特許文献６】実開平６−２０２１８号
【特許文献７】特開２００７−１５３３７０号
【発明の概要】
【発明が解決しようとする課題】
【００１４】
本発明は、上記課題に鑑みてなされたものであり、金型を必要とせず、シート材の切り抜き加工および折り線加工（罫線加工、ミシン目加工）のみでカートン内の個装を弾性的に固定することができる保持部材を安価に作成可能であり、個装の回転防止やカ−トンの安定性を向上することが可能となる保持部材を提供するものである。
【００１５】
また、廃棄時も容易に分解してシート状態に戻すことができるため廃棄の点でも優れた保持部材を提供するものである。
【課題を解決するための手段】
【００１６】
本発明は、物品用の収容カートン内で物品を固定・安定化させるために該カートン内面と物品との間に介装する保持部材において、
保持部材はシートから構成され、
該シートの少なくとも１箇所に切り込み部を設け、該シートの少なくとも一部を折り込み、前記切り込み部に挟むことにより弾性を付与し、物品とカートンの一部に接触させカートン内の物品を固定することを特徴とした保持部材である。
【００１７】
本発明において、前記保持部材のシートには、物品を載置する載置パネルを有すると共に、該載置パネルから第１の折罫を介して延び立設する保持パネルを少なくとも１つ有し、
前記保持パネルには切り込み部を設け、
前記保持パネルの切り込み部よりも延長した箇所に第２の折罫を設けた差し込みパネルを有し、
前記差し込みパネルを第２の折罫で折返したときに、先端が前記切り込み部に差し込まれることで前記差し込みパネルが湾曲して保持され、
前記湾曲した部分の弾性力で物品を弾性的に保持可能にしたことが好適である。
【００１８】
また、本発明においては、保持パネルは物品を対向する方向から挟んで保持できるように、載置パネルから対向する方向に少なくとも２つ延設されていることが好適である。
【００１９】
本発明においては、少なくとも1枚のシートから構成されることが好適である。
【発明の効果】
【００２０】
本発明の保持部材によれば、保持部材のシートに弾性を付与し、シートを物品とカートンの一部に接触させ前記弾性によりカートン内の物品を固定するので簡単な構成で確実にカートン内で固定できるという優れた効果を奏し得る。
【図面の簡単な説明】
【００２１】
【図１】本発明の第１実施形態に係るカートン用の保持部材の説明図で、（ａ）が展開図、（ｂ）が使用状態説明図、（ｃ）が他の使用状態説明図である。
【図２】本発明の第２実施形態に係るカートン用の保持部材の説明図で、（ａ）が展開図、（ｂ）が組立状態の説明図、（ｃ）が使用状態説明図である。
【図３】本発明の第３実施形態に係るカートン用の保持部材の説明図で、（ａ）が展開図、（ｂ）が使用状態説明図である。
【図４】本発明の第４実施形態に係るカートン用の保持部材の説明図で、（ａ）が展開図、（ｂ）が使用状態説明図、（ｃ）が他の使用状態説明図である。
【図５】本発明の第５実施形態に係るカートン用の保持部材を説明する展開図である。
【図６】本発明の第６実施形態に係るカートン用の保持部材を説明する展開図である。
【図７】本発明の第７実施形態に係るカートン用の保持部材を説明する展開図である。
【図８】本発明の第８実施形態に係るカートン用の保持部材を説明する展開図である。
【発明を実施するための形態】
【００２２】
以下、本発明の実施形態について添付図面を参照して説明する。
【００２３】
図１〜図８は本発明の第１〜８実施形態を説明する各実施形態である。
【００２４】
各実施形態の共通する部分を説明する。図１〜図８に示すように、第１〜第８実施形態のカートン用の保持部材１０は物品１２用のカートン（収容カートン、ケース）１４内で物品１２を固定・安定化させるために該カートン１４内面と物品１２との間に介装する保持部材１０である。
【００２５】
各展開図に示すように、実施形態の保持部材１０は単一のシートから構成される。そして、該シートの少なくとも１箇所に切り込み線やミシン線等の切り込み部１６を設け、該切り込み部１６に該シートの少なくとも一部を折り込む。その折り込んだ部分（差し込みパネル２４）先端を前記切り込み部１６に挟むことにより差し込みパネル２４または保持パネル２２に弾性を付与し、差し込みパネル２４または保持パネル２２を物品１２とカートンの一部に接触させ当該弾性によってカートン内の物品１２を固定するものである。
【００２６】
詳しくは、前記保持部材１０のシートには、カートン１４内に収容した物品１２が上方から載る載置パネル２０を有すると共に、該載置パネル２０から第１の折罫１０ａを介して延び立設する保持パネル２２を少なくとも１つ有している。前記保持パネル２２には切り込み部１６を設け、前記保持パネル２２の切り込み部１６よりも延長した箇所に第２の折罫（折線）１０ｂを設けた差し込みパネル２４を有し、前記差し込みパネル２４を第２の折罫１０ｂで折返したときに、前記差し込みパネル２４の先端が前記切り込み部１６に差し込まれることで前記差し込みパネル２４が湾曲して保持され、前記湾曲した部分の弾性力で物品を弾性的に保持可能にしたものである。
【００２７】
前記保持パネル２２は、物品１２を対向する方向から挟んで保持できるように、載置パネル２０から対向する方向に少なくとも２つ延設されている。また、保持部材１０は、少なくとも１枚のシートから構成される。
【００２８】
また、保持部材１０は、弾性を有するシートが好ましく、シート材として例えば紙単層材、紙と樹脂の積層材、紙層と樹脂層と金属層の積層材、樹脂単層材、樹脂積層材を使用することができる。保持部材１０の弾性を利用して柔軟にカートン内での物品の固定が可能である。
【００２９】
以下に各実施形態を詳しく説明する。
【００３０】
（第１実施形態）
第１実施形態に係る保持部材は、図１（ａ）に示すようにシートは幅に比較して長さ方向に長い帯状に形成されており、長さ方向の中央部に載置パネル２０があり、その両側に第１の折罫１０ａ、１０ａを境に保持パネル２２、２２が延びる。第１実施形態体では、単一の物品１２を、カートン１４内に収容する個装としたものである。
【００３１】
該保持パネル２２、２２には、円弧を描いて切り込み部１６、１６が形成され、該切り込み部１６、１６の先方に第２の折罫１０ｂ、１０ｂを設けた差し込みパネル２４が形成される。前記差し込みパネル２４を第２の折罫１０ｂ、１０ｂで載置パネル２０側に谷折りして折返したときに、図１（ｂ）に示すように、前記差し込みパネル２４の先端が載置パネル２０側の内側から前記切り込み部１６に差し込み、第１の折罫１０ａ、１０ａから保持パネル２２，２２を載置パネル２０側に９０°谷折りすることによって保持部材１０を組み立てる。前記差し込みパネル２４が湾曲して保持されるので、カートン１４内面と物品１２との間に保持部材１０を装着することによって、前記湾曲した部分の弾性力で物品１２を両側から弾性的に保持可能にしたものである。
【００３２】
なお、本発明は、これに限定されず、前記差し込みパネル２４を第２の折罫１０ｂから外側に折返して（外側向きに谷折りして）に、図１（ｃ）に示すように、前記差し込みパネル２４の先端を前記切り込み部１６に載置パネル２０の外側から差し込むことで、前記差し込みパネル２４が湾曲してカートン１４内面を押圧して、両保持パネル２２、２２によって物品１２を挟み付けて保持する構成にできる。なお、物品１２がキャップ付きのチューブ容器を一例として挙げたが、物品はこれに限定されない。
【００３３】
（第２実施形態）
次に、第２実施形態に係る保持部材を図２に基づき説明する。
【００３４】
図２（ａ）に示すように、第２実施形態の保持部材１０は、図１（ａ）に示した第１実施形態の保持部材１０に比較して、切り込み部の位置が第２の折罫１０ｂ側に近づき、かつ、差し込みパネル２４が短いものである。
【００３５】
そして差し込みパネル２４を第２の折罫１０ｂから谷折りして、切り込み部１６に差し込むと、図２（ｂ）に示すように図１（ａ）に示した第１実施形態の保持部材１０に比較して、保持パネル２２が短くなり、図２（ｃ）に示すように、載置パネルに対して保持パネル２２を第１の折罫１０ａから９０°谷折りしてカートン１４内で物品１２に接触する位置が第１実施形態に比較して上方に位置する。
【００３６】
したがって、切り込み部１６の設定で、本発明の保持部材は所望する位置で適切に保持することができる。
その他は、第１実施形態と同様であり、同一符号を付している。
【００３７】
（第３実施形態）
次に、第３実施形態に係る保持部材を図３に基づき説明する。
【００３８】
図３（ａ）に示すように、第３実施形態の保持部材１０は、保持パネル２２に２つの切り込み部１６ａ、１６ｂを設けている。そして、第２の折罫１０ｂから先方の差し込みパネル２４には、コ字形の切り込み線２６を設け、この切り込み線２６から差し込みパネル２４を２つの部分２４ａ及び２４ｂに分けたものである。
【００３９】
図３（ｂ）に示すように、差し込みパネル２４の外側の部分２４ａを載置パネル２０に近い側の切り込み部１６ａに差し込み、内側部分を載置パネル２０から遠い側の切り込み部１６ｂに差し込む。
【００４０】
これによって、差し込みパネル２４の湾曲した弾性部分が２箇所でき、物品１２の上下部で弾性を付与して両側から保持することができる。
その他は、第１実施形態と同様であり、同一符号を付している。
【００４１】
（第４実施形態）
次に、第４実施形態に係る保持部材を図４に基づき説明する。
【００４２】
図４（ａ）に示すように、第４実施形態の保持部材１０は、カートン内に１つの物品を収容するものであって（個装）、単数物品とカートンとの間に介装する保持部材１０である。保持部材１０は、載置パネル２０を挟んでそれぞれに保持パネル２２Ａ、２２Ｂ及び差し込みパネル２４Ａ、２４Ｂが対向して延びるが、それら保持パネル２２Ａ、２２Ｂ及び差し込みパネル２４Ａ、２４Ｂの長さが互いに異なるものである（図４では２２Ａ＜２２Ｂ、２４Ａ＜２４Ｂ）。
【００４３】
したがって、前記差し込みパネル２４Ａ、２４Ｂを第２の折罫１０ｂで載置パネル２０側に谷折りして折返したときに、図４（ｂ）に示すように、前記差し込みパネル２４Ａ、２４Ｂの先端を前記切り込み部１６に差し込むことで、前記差し込みパネル２４Ａ、２４Ｂが湾曲して保持されるが、それら湾曲した部分の湾曲度合いや長さが異なる。
よって、保持パネル２２Ａ、２２Ｂ及び差し込みパネル２４Ａ、２４Ｂの弾性力で物品１２を両側から弾性的に保持する際に、保持長さ、保持深さ、保持力がそれぞれ異なる。
【００４４】
図４（ｃ）に示すように、保持パネル２２Ａ、２２Ｂ及び差し込みパネル２４Ａ、２４Ｂの一方の長さをさらには短くして、保持パネル２２Ａから差し込みパネル２４Ａの湾曲度合いを大きくする等、保持の設定を種々に行うことができる。
その他は、第１実施形態と同様であり、同一符号を付している。
【００４５】
（第５実施形態）
次に第５実施形態を図５に基づき説明する。
【００４６】
前記第１実施形態〜第４実施形態の保持部材が一個の物品を収容するカートンに対してのものであったが（個装）、第５実施形態の保持部材１０は、２つのシート２８Ａ、２８Ｂが共通した載置パネル２０から対向して延び、図５に示すように、各シート２８Ａ、２８Ｂで個々に物品を保持する、２個装のカートン用の保持部材１０である。シート２８Ａ、２８Ｂは、同形状を呈し、それぞれが前記第４実施形態と同様に、保持パネル２２Ａ、２２Ｂ及び差し込みパネル２４Ａ、２４Ｂの長さが互いに異なるものである。
【００４７】
図５に示すように、シート２８Ａ、２８Ｂ間の分割線３０で分割して、個々のシート２８Ａ、２８Ｂを前記第４実施形態の保持部材と同様の組み立てをしてカートン１４内の保持部材として使用できる。
その他は、第４実施形態と同様であり、同一符号を付している。
【００４８】
（第６実施形態）
次に第６実施形態を図６に基づき説明する。
【００４９】
第６実施形態の保持部材は、図６に示すように、２つのシート２８Ａ、２８Ｂが共通した載置パネル２０から対向して延びて、各シート２８Ａ、２８Ｂで個々に物品を保持する、２個装のカートン用の保持部材１０である。そして、第５実施形態と異なり、載置パネル２０から延びる保持パネル２２と差し込みパネル２４の長さがシート２８Ａ、２８Ｂで互いに異なることである。
【００５０】
図６に示すように、シート２８Ａ、２８Ｂ間の分割線３０で分割して、個々のシート２８Ａ、２８Ｂを前記第４実施形態の保持部材と同様の組み立てをするが、カートン内に収容した大きさの異なる２個の物品に対して、共通する保持部材として使用できる。
その他は、第４実施形態や第５実施形態と同様であり、同一符号を付している。
【００５１】
（第７実施形態）
次に第７実施形態を図７に基づき説明する。
【００５２】
第７実施形態の保持部材１０は、前記第１実施形態〜第４実施形態の保持部材が一個の物品を収容するカートンに対してのものである点が共通する（個装）。しかしながら、第７実施形態の保持部材１０は、図７に示すように、載置パネル２０を中間にしてそれぞれに４つの保持パネル２２Ａ〜２２Ｄ及び差し込みパネル２４Ａ〜２４Ｄが四方に等角度間隔で延びる構造である。
【００５３】
前記差し込みパネル２４Ａ〜２４Ｄを保持パネル２２Ａ〜２２Ｄの前記切り込み部１６に差し込むことで、前記差し込みパネル２４Ａ〜２４Ｄが湾曲して保持され、前記湾曲した部分の弾性力で物品１２を四方から弾性的に保持可能にしたものである。
【００５４】
この第７実施形態の保持部材によれば、第１〜第４実施形態に比較して四方から物品を確実に保持できる。したがって、この保持部材１０は、断面が四角の箱用の保持部材に適している。
【００５５】
その他は、シートの長さや切り込み部１６の数を変える等、前記第１〜４実施形態と同様に適用できる、同様部分に同一符号を付している。
【００５６】
（第８実施形態）
次に第８実施形態を図８に基づき説明する。
【００５７】
第８実施形態の保持部材１０は、載置パネル２０を中間にしてそれぞれに３つの保持パネル２２Ａ〜２２Ｃ及び差し込みパネル２４Ａ〜２４Ｃが三方に等角度間隔で延びる構造である。
【００５８】
第８実施形態の保持部材１０によれば、載置パネル２０を中心に第１の折罫１０ａから保持パネル２２Ａ〜２２Ｃを９０°折り曲げて、前記差し込みパネル２４Ａ〜２４Ｃを保持パネル２２Ａ〜２２Ｃの前記切り込み部１６に差し込むことで、前記差し込みパネル２４Ａ〜２４Ｃが湾曲して保持され、前記湾曲した部分の弾性力で物品１２を三方から弾性的に保持可能にしたものである。
【００５９】
上方視で三角形形状を呈するため、断面が三角の箱用等のデザイン化されたカートンの保持部材１０に適合して使用することができる。
【００６０】
その他は、シートの長さや切り込み部１６の数を変える等、前記第１〜４実施形態と同様に適用できる、同様部分に同一符号を付している。
【００６１】
なお、上記各第１〜第８実施形態は、本発明の好適な実施態様を説明するものであるが、カートンに収容する物品に応じて形態を種々に変更実施できることはもちろんである。
【００６２】
例えば、載置パネル２０は、第７実施形態では四角形形状、第８実施形態では三角形形状であったが本発明はこれに限定されず、五角形形状等任意の多角形形状とすることができる。
【産業上の利用可能性】
【００６３】
本発明の保持部材は、物品として化粧品、薬品、口腔清浄製品等の収容容器を収容するカートン内に装着して物品保持に用いることができる。
【符号の説明】
【００６４】
１０  保持部材
１０ａ  第１の折罫
１０ｂ  第２の折罫
１２  物品
１４  カートン
１６  切り込み部
２０  載置パネル
２２  保持パネル
２４  差し込みパネル
２６  切り込み線（第３実施形態）
２８Ａ、２８Ｂ  各シートの部分（第５、第６実施形態）
【図１】
2014213866.tif 000003
【図２】
2014213866.tif 000004
【図３】
2014213866.tif 000005
【図４】
2014213866.tif 000006
【図５】
2014213866.tif 000007
【図６】
2014213866.tif 000008
【図７】
2014213866.tif 000009
【図８】
2014213866.tif 000010